(57)【要約】【課題】  利用者各人の電話端末の電話番号を知らせることなく、発信先に対して発呼することが可能な通信制御装置及び通信制御方法を提供する。【解決手段】  通信制御装置１０は、複数の電話端末２０〜２２の電話番号情報と、複数の電話端末２０〜２２のそれぞれに割当てられた内線番号情報と、を関連付けて格納する格納部１１と、一の電話端末２０から所定の発信先５０に対して発呼が行われた際に当該一の電話端末２０から電話番号情報及び発信先情報を受信する受信部１２と、受信部１２により受信された電話番号情報に基づいて、格納部１１から内線番号情報を抽出する抽出部１４と、受信部１２により受信された発信先情報に基づく発信先５０に対して、抽出部１４により抽出された内線番号情報を発信元にして発呼する発信部１５と、を備える。【選択図】  図１
2007013615.tif 000002
【特許請求の範囲】
【請求項１】
複数の電話端末の電話番号情報と、前記複数の電話端末のそれぞれに割当てられた内線番号情報と、を関連付けて格納する格納手段と、
一の電話端末から所定の発信先に対して発呼が行われた際に当該一の電話端末から電話番号情報及び発信先情報を受信する受信手段と、
前記受信手段により受信された電話番号情報に基づいて、前記格納手段から内線番号情報を抽出する抽出手段と、
前記受信手段により受信された発信先情報に基づく発信先に対して、前記抽出手段により抽出された内線番号情報を発信元にして発呼する発信手段と、
を備えることを特徴とする通信制御装置。
【請求項２】
前記受信手段により受信された電話番号情報が所定の番号であるか否かを判定する判定手段を備え、
前記抽出手段は、前記受信手段により受信された電話番号情報が所定の番号である場合、前記受信手段により受信された電話番号情報に基づいて、前記格納手段から内線番号情報を抽出する、
請求項１に記載の通信制御装置。
【請求項３】
前記一の電話端末から前記所定の発信先に対して発呼が行われた際の通信に対する通信料を負担する処理を行う処理手段を備える、
請求項１または２に記載の通信制御装置。
【請求項４】
一の電話端末から所定の発信先に対して発呼が行われた際に当該一の電話端末から電話番号情報及び発信先情報を受信する受信ステップと、
複数の電話端末の電話番号情報と、前記複数の電話端末のそれぞれに割当てられた内線番号情報と、を関連付けて格納された格納手段から、前記受信ステップで受信された電話番号情報に基づいて、内線番号情報を抽出する抽出ステップと、
前記受信ステップで受信された発信先情報に基づく発信先に対して、前記抽出ステップで抽出された内線番号情報を発信元にして発呼する発信ステップと、
を備えることを特徴とする通信制御方法。
【発明の詳細な説明】
【技術分野】
【０００１】
本発明は、宛先に対して発信制御を行う通信制御装置及び通信制御方法に関するものである。
【背景技術】
【０００２】
室内では内線電話端末を使用し、屋外では携帯電話端末を使用するというように、利用者各人が複数の電話端末を使用することが多く行われている。このような場合に、各人に内線番号を割り当てて、内線電話端末の使用状況に応じて、各人の内線番号宛の着信を内線電話端末に受信させたり、所定の端末に転送させたりすることが行われている。例えば、下記特許文献１に開示された構内電話交換機は、内線電話端末がコネクタと接続した場合、各人の内線番号宛の着信を内線電話端末に着信させ、内線電話端末がコネクタと接続していない場合、各人の内線番号宛の着信を所定の転送先に着信させている。
【特許文献１】特開平１１−２７５６１７号公報
【発明の開示】
【発明が解決しようとする課題】
【０００３】
しかしながら、所定の転送先が利用者各人の私用の携帯電話端末である場合に、着信があった携帯電話端末から折返し発信しようとすると、発信先に私用の携帯電話端末の電話番号が知られてしまうことがあり、プライバシーが保護されないという課題がある。
【０００４】
そこで本発明では、利用者各人の電話端末の電話番号を知らせることなく、発信先に対して発呼することが可能な通信制御装置及び通信制御方法を提供することを目的とする。
【課題を解決するための手段】
【０００５】
本発明の通信制御装置は、複数の電話端末の電話番号情報と、複数の電話端末のそれぞれに割当てられた内線番号情報と、を関連付けて格納する格納手段と、一の電話端末から所定の発信先に対して発呼が行われた際に当該一の電話端末から電話番号情報及び発信先情報を受信する受信手段と、受信手段により受信された電話番号情報に基づいて、格納手段から内線番号情報を抽出する抽出手段と、受信手段により受信された発信先情報に基づく発信先に対して、抽出手段により抽出された内線番号情報を発信元にして発呼する発信手段と、を備えることを特徴とする。
【０００６】
本発明の通信制御装置によれば、まず、受信手段により電話番号情報及び発信先情報が受信される。ここで、受信された電話番号情報に基づいて、抽出手段により、格納手段から内線番号情報が抽出される。また、受信された発信先情報に基づく発信先に対して、抽出手段により抽出された内線番号情報を発信元にして、発信手段により発呼される。これにより、電話端末の利用者は、発信先に電話番号を知らせることなく、発信先に対して発呼することができる。この結果、電話端末の利用者のプライバシーの保護が可能となる。
【０００７】
また、通信制御装置は、受信手段により受信された電話番号情報が所定の番号であるか否かを判定する判定手段を備え、抽出手段は、受信手段により受信された電話番号情報が所定の番号である場合、受信手段により受信された電話番号情報に基づいて、格納手段から内線番号情報を抽出するのも好ましい。
【０００８】
これにより、受信手段により受信された電話番号情報が所定の番号である場合、この電話番号情報に基づいて、抽出手段により内線番号情報が格納手段から抽出される。このため、所定の番号に限定して、発信手段により発信先に対して発呼することができる。この結果、セキュリティを高めることが可能となる。
【０００９】
また、通信制御装置は、一の電話端末から所定の発信先に対して発呼が行われた際の通信に対する通信料を負担する処理を行う処理手段を備えるのも好ましい。
【００１０】
これにより、この通信料を負担する処理が、処理手段により行われるので、電話端末の利用者に対する負担を軽減することができる。
【００１１】
本発明の通信制御方法は、一の電話端末から所定の発信先に対して発呼が行われた際に当該一の電話端末から電話番号情報及び発信先情報を受信する受信ステップと、複数の電話端末の電話番号情報と、複数の電話端末のそれぞれに割当てられた内線番号情報と、を関連付けて格納された格納手段から、受信ステップで受信された電話番号情報に基づいて、内線番号情報を抽出する抽出ステップと、受信ステップで受信された発信先情報に基づく発信先に対して、抽出ステップで抽出された内線番号情報を発信元にして発呼する発信ステップと、を備えることを特徴とする。
【００１２】
本発明の通信制御方法によれば、まず、受信ステップにおいて電話番号情報及び発信先情報が受信される。ここで、受信された電話番号情報に基づいて、抽出ステップにおいて、格納手段から内線番号情報が抽出される。また、受信された発信先情報に基づく発信先に対して、抽出ステップにおいて抽出された内線番号情報を発信元にして、発信ステップにおいて発呼される。これにより、電話端末の利用者は、発信先に電話番号を知らせることなく、発信先に対して発呼することができる。この結果、電話端末の利用者のプライバシーの保護が可能となる。
【発明の効果】
【００１３】
本発明によれば、利用者各人の電話端末の電話番号を知らせることなく、発信先に対して発呼することができる。
【発明を実施するための最良の形態】
【００１４】
以下、添付図面を参照しながら本発明の好適な実施形態を説明する。なお、図面の説明において同一要素には同一符号を付し、重複する説明を省略する。
【００１５】
本発明の実施形態である通信制御装置について、図１を用いて説明する。通信制御装置１０は、電話端末の電話番号を、この電話端末が他の電話端末と共有する同一の内線番号に変換する装置である。図１は、通信制御装置１０の構成を説明するための構成図である。通信制御装置１０は、物理的には、ＣＰＵ（中央演算処理装置）、メモリ、ハードディスクといった格納装置、モデムやＬＡＮカードといった通信装置、マウスやキーボードといった入力装置、ディスプレイといった表示装置等を備えたコンピュータシステム（又はコンピュータシステムの集合体）として構成されている。
【００１６】
通信制御装置１０は、機能的な構成要素として、格納部（格納手段）１１、受信部（受信手段）１２、判定部（判定手段）１３、抽出部（抽出手段）１４、発信部（発信手段）１５、及び処理部（処理手段）１６を備えている。なお、これら機能的な構成要素それぞれを物理的に分散させて、これら構成要素の集合体を通信制御装置１０としてもよい。
【００１７】
なお、通信制御装置１０はゲートウェイと通信を行う。ゲートウェイは、電話端末と電話端末の所定の発信先との通信を、回線交換網を経由して行う。電話端末、ゲートウェイ、通信制御装置、及び発信先を含むシステム構成については、後述する。
【００１８】
引き続いて、通信制御装置１０の各構成要素について説明する。格納部１１は、複数の電話端末の電話番号情報と、複数の電話端末のそれぞれに割当てられた内線番号情報とを関連付けて既に格納している部分である。電話番号情報とは、電話端末に割り当てられた電話番号であり、内線番号情報とは、電話端末に割当てられた内線番号である。格納部１１は、抽出部１４に接続されている。なお、電話番号情報及び内線番号情報が格納部１１に既に格納された状態については、後述する。
【００１９】
受信部１２は、一台の電話端末（一の電話端末）から所定の発信先に対して発呼が行われた際に、この電話端末から電話番号情報及び発信先情報を受信する部分である。受信部１２は、電話番号情報及び発信先情報をゲートウェイから受信する。発信先情報とは、この電話端末が通話しようとして発信する相手先の電話番号である。受信部１２は、この発信先情報を発信部１５に送信するとともに、この電話番号情報を判定部１３に送信する。
【００２０】
判定部１３は、受信部１２により受信された電話番号情報と、予め登録された番号との比較を行うことで、この電話番号情報が所定の番号であるか否かを判定する部分である。判定部１３は、例えば、この電話番号情報の電話端末の利用者は、特定の企業の社員であるか否かを判定する。判定部１３は、この判定結果を抽出部１４に送信する。
【００２１】
抽出部１４は、受信部１２により受信された電話番号情報が所定の番号であるとの判定結果を判定部１３から受信した場合、受信部１２が受信した電話番号情報に基づいて、格納部１１から内線番号情報を抽出する部分である。格納部１１には電話番号情報と内線番号情報とが関連付けて格納されており、抽出部１４は、この電話番号情報に対応する内線番号情報を格納部１１から抽出する。また、抽出部１４は、抽出した内線番号情報を発信部１５に送信する。
【００２２】
発信部１５は、受信部１２が受信した発信先情報に基づく発信先に対して発呼する部分である。発信先情報に基づく発信先とは、発信先情報が示す電話番号が割り当てられた相手先（例えば、携帯電話機等）のことである。なお、発信部１５は、抽出部１４が抽出した内線番号情報を発信元にして発呼する。すなわち、発信先においては、内線番号情報が通知されながら（ディスプレイ等に表示されながら）、電話端末からの発呼に対応する着呼が受け付けられる。発信部１５は、内線番号情報及び発信先情報を処理部１６に送信する。
【００２３】
処理部１６は、電話端末から発信先に対して発呼が行われた際の通信に対する通信料を負担する処理を行う部分である。処理部１６は、この発呼に関する呼情報を記録し、この呼情報から通信料を算出する。呼情報には、この電話端末の発信電話番号や、発信先電話番号や、通信の開始日時及び終了日時等の情報等が含まれる。処理部１６が算出する通信料は、例えば、電話端末から後述の代理発信代表番号までの通信に対する料金である。処理部１６は、算出されたこの通信料の負担処理を行う。ここで、処理部１６は、この通信料をディスプレイ等に表示してもよい。これにより、通信制御装置１０の利用者等が、この通信料を確認することができる。なお、フリーダイヤル（登録商標）サービス等の回線交換網の着信課金サービスを利用する場合、この回線交換網の管理業者により発行される通話明細に関する情報と、処理部１６により算出される通信料とを併せて記録・確認することにより、より正確に通信料の総額を把握・管理することができる。
【００２４】
引き続いて、格納部１１に登録された各情報について、図２も併せて用いながら説明する。図２は、電話番号情報及び内線番号情報が格納部１１に格納された状態の一例を説明するための図表である。
【００２５】
電話番号情報が、通信制御装置１０を利用する電話端末の台数分、格納部１１に格納されている。また、内線番号情報は、電話端末のそれぞれに割当てられて格納部１１に格納されている。一つの内線番号情報に対して、一または複数の電話番号情報が関連付けられている。例えば、内線番号情報「０３−００００−００００＃２００６」に関連付けられている電話番号情報は、「０３−２４６８−ｄｄｄｄ」及び「０８０−１３５７−ｅｅｅｅ」の二つである。なお、内線番号情報は特に限定されず、例えば、企業の代表番号と、一意に割り当てられた社員番号とを結合させた番号でもよい。
【００２６】
引き続いて、通信制御装置１０を含むシステム構成について、図３も併せて用いながら説明する。図３は、電話端末２０〜２２、ゲートウェイ４０、通信制御装置１０、及び発信先５０を含んで構成されている通信システムのシステム構成図である。
【００２７】
電話端末２０〜２２は、同一の内線番号を共有する複数の電話端末である。なお、電話端末２０〜２２は、音声通信機能を有する端末であれば特に限定されない。電話端末２０〜２２の例として、個人名義や企業名義の携帯電話機、企業内や家庭内の固定電話機等が挙げられる。ここでは、電話端末２０を例にして説明する。電話端末２０が発信先５０に対する発呼を行うと、電話端末２０は、回線交換網３０を経由してゲートウェイ４０と通信を行う。なお、回線交換網３０は、公衆回線網に含まれており、通信事業者が有する通信網である。電話端末２０が発信先５０に対する発呼を行う場合、まず、代理発信代表番号（例えば、０３−１１１１−ｚｚｚｚ）に続けて、「＃」と、発信先５０の電話番号（例えば、０９３−２２２２−ｙｙｙｙ）と、を入力してダイヤル発信を行う。なお、代理発信代表番号を入力して着信した後に、通信制御装置１０からの要求に従って発信先５０の電話番号を入力する方式を採用してもよい。ここで、代理発信代表番号とは、電話端末２０の電話番号を知らせずに発信先５０に対する発信（すなわち代理発信）を行う際に用いる代表番号であり、複数の電話端末２０〜２２に共通して利用される。
【００２８】
ゲートウェイ４０は、通信プロトコルを変換する装置である。ゲートウェイ４０は、通信制御装置１０との通信、及び回線交換網３０を経由しての電話端末２０との通信を行う。
【００２９】
通信制御装置１０は、電話端末２０の電話番号情報を内線番号情報に変換する装置である。すなわち、電話番号情報（例えば、図２に示されている「０３−２４６８−ｄｄｄｄ」）が、この電話番号に割当てられた内線番号情報（「０３−００００−００００＃２００６」）に変換される。そして、通信制御装置１０は、この内線番号情報を発信元（すなわち電話端末２０）の電話番号として、ゲートウェイ４０及び回線交換網３０を経由して発信先に対する発呼を行う。なお、通信制御装置１０及びゲートウェイ４０は、ＩＰセントレックス（すなわち企業内交換網の一つ）サービスの構成要素に含まれている。企業内交換網の構成要素の他の例としては、セントレックス、ＰＢＸ、ＩＰ−ＰＢＸ等がある。
【００３０】
発信先５０は、電話端末２０が発信しようとする相手先である。電話端末２０が発信先５０に対する発呼を行うと、発信先５０においてこの発呼に対応する着呼が行われる。このとき、発信先５０においては、上記の内線番号（「０３−００００−００００＃２００６」）が発信元の電話番号として認識される。すなわち、発信先５０において着呼が行われると、発信先５０のディスプレイ等には、上記の内線番号が表示される。そして、この発信先５０において、この着呼に対する応答が行われると、電話端末２０と発信先５０との音声通信が可能となる。発信先５０は、電話端末２０同様、音声通信機能を有する端末であれば特に限定されない。
【００３１】
なお、発信先５０が、電話端末２０に対して折返し発呼する場合は、この内線番号情報で発呼すればよい。この場合、発信先５０は、回線交換網３０及びゲートウェイ４０を経由して、通信制御装置１０と通信を行う。次に、ゲートウェイ４０、回線交換網３０を経由して、電話端末２０〜２２のいずれかに着信する。ここで、着信対象となる電話端末２０〜２２が複数ある場合には、電話端末それぞれにおける通信状態等や、電話端末それぞれで設定された優先度に応じて、通信制御装置１０が着信先を選択する。
【００３２】
引き続いて、通信制御装置１０の動作について、図４に示すフローチャートを用いて説明する。図４は、電話端末２０が発信先５０に対して発呼してからの通信制御装置１０の動作を示すシーケンス図である。
【００３３】
まず、電話番号情報と内線番号情報とを関連付けて、格納部１１に事前に格納しておく（格納ステップ）。最初に、電話端末２０が発信先５０に対する発呼を行う（Ｓ１０１）。通信制御装置１０では、受信部１２により、電話番号情報及び発信先情報が受信される（受信ステップ、Ｓ１０２）。次に、判定部１３により、電話番号情報が所定の番号であるか否かが判定される（Ｓ１０３）。ここで、電話番号情報が所定の番号ではないと判定された場合は、発呼を切断し、以後の処理は行わない。なお、エラーが発生した旨を、通信制御装置１０が電話端末２０に通知してもよい。そして、電話番号情報が所定の番号であると判定部１３により判定された場合は、抽出部１４により、格納部１１から内線番号情報が抽出される（抽出ステップ、Ｓ１０４）。
【００３４】
次に、受信部１２が受信した発信先情報に基づく発信先５０に対して、発信部１５により、この内線番号情報を発信元にした発呼が行われる（発信ステップ、Ｓ１０５）。このとき、発信先５０においては、この内線番号情報が通知されながら、電話端末２０からの発呼に対応する着呼が受け付けられる（Ｓ１０６）。ここで、発信先５０において、この着呼に対する応答が行われる（Ｓ１０７）と、電話端末２０において、この応答が認識される（Ｓ１０８）。この応答の認識は、回線交換網３０、ゲートウェイ４０、及び通信制御装置１０を経由して行われ、回線が閉結される。この後、電話端末２０と発信先５０との音声通信が可能となる。
【００３５】
引き続き、本実施形態の作用効果について説明する。まず、受信部１２により電話番号情報及び発信先情報が受信される。ここで、受信された電話番号情報に基づいて、抽出部１４により、格納部１１から内線番号情報が抽出される。また、受信された発信先情報に基づく発信先５０に対して、抽出部１４により抽出された内線番号情報を発信元にして、発信部１５によって発呼が行われる。これにより、電話端末２０の利用者は発信先５０に対して、電話番号を秘匿して（知らせることなく）、内線番号情報のみを知らせて発信先５０に対して発呼することができる。この結果、電話端末２０の利用者のプライバシーの保護が可能となる。
【００３６】
また、受信部１２により受信された電話番号情報は所定の番号である、と判定部１３が判定した場合に、この電話番号情報に基づいて、抽出部１４により内線番号情報が格納部１１から抽出される。これにより、所定の番号に限定して、発信部１５による発信先５０に対する発呼を行うことができる。この結果、セキュリティを高めることが可能となる。
【００３７】
また、電話端末２０から発信先５０に対して発呼が行われた際の通信に対する通信料を負担する処理が、処理部１６により行われるので、電話端末２０の利用者に対する負担を軽減することができる。すなわち、電話端末２０の利用者は、通信料を負担することなく、発信先５０との音声通信を行うことができる。この結果、電話端末２０の利用者は、通信料の分計（私用の利用と業務上の利用とにより分けること）を行うことができる。すなわち、電話端末２０の利用者が、発信先５０との私用の音声通信を行う場合には、発信先５０の電話番号のみを電話端末２０に入力（ダイヤル発信）すればよい。また、電話端末２０の利用者が、発信先５０との業務上の音声通信を行う場合には、上記の代理発信代表番号に続けて発信先５０の電話番号を入力すればよい。これにより、業務上の音声通信を行う際に発生する通信料を、例えば通信制御装置の所有者に課金することも可能となる。
【図面の簡単な説明】
【００３８】
【図１】本実施形態の通信制御装置の構成を説明するための構成図である。
【図２】電話番号情報及び内線番号情報が格納部に格納された状態の一例を説明するための図表である
【図３】通信制御装置を含んで構成される通信システムのシステム構成図である。
【図４】通信制御装置の動作を示すシーケンス図である。
【符号の説明】
【００３９】
１０…通信制御装置、１１…格納部、１２…受信部、１３…判定部、１４…抽出部、１５…発信部、１６…処理部、２０〜２２…電話端末、３０…回線交換網、４０…ゲートウェイ、５０…発信先。
【図１】
2007013615.tif 000003
【図２】
2007013615.tif 000004
【図３】
2007013615.tif 000005
【図４】
2007013615.tif 000006